(57)【要約】【課題】  縦ルーバの回動範囲を拡大することができる縦ルーバユニットおよび該縦ルーバユニットを備えた空気調和装置を提供すること。【解決手段】  室内機本体に回動自在に支持された複数の縦ルーバ２１と、これら縦ルーバ２１を連結することで各縦ルーバを連動させるコネクティングロッド２２とを備えた空気調和装置の縦ルーバユニット２０において、前記コネクティングロッド２２は連結部２２ｂと、該連結部２２ｂから横方向に延び、それぞれに各縦ルーバ２１が回動可能に取付けられる複数の腕部２２aとを備える。【選択図】      図１
2005326104.tif 000002
【特許請求の範囲】
【請求項１】
室内機本体に回動自在に支持された複数の縦ルーバと、これら縦ルーバを連結することで各縦ルーバを連動させるコネクティングロッドとを備えた空気調和装置の縦ルーバユニットにおいて、
前記コネクティングロッドは、連結部と、該連結部に対して略直交に延在し、互いに間隔を隔てて設けられた複数の腕部とを備え、
各前記縦ルーバは、各前記腕部のそれぞれに回動可能に取付けられていることを特徴とする空気調和装置の縦ルーバユニット。
【請求項２】
前記縦ルーバと室内機本体のいずれか一方側に設けられ、突起を有する軸と、
前記縦ルーバと室内機本体のいずれか他方側に設けられ、前記軸が挿入されるとともに、前記突起に対応した凹部を有する嵌合孔が形成された軸受と、を備えてなり、
前記軸および前記軸受は、前記突起が前記凹部を貫通した状態で、互いに前記軸の軸線周りに回動可能とされるとともに、前記前記突起と前記軸受とが係合していることを特徴とする請求項１に記載の空気調和装置の縦ルーバユニット。
【請求項３】
前記軸が前記軸受に対して挿入された状態における前記突起と前記軸受の互いに対向する壁面には、前記突起側にストッパが設けられ、前記軸受側に前記ストッパが収容されて案内される案内部が設けられ、
該案内部の形成範囲によって前記ストッパの回動範囲が規制されることを特徴とする請求項２に記載の空気調和装置の縦ルーバユニット。
【請求項４】
前記軸に設けられた前記突起と前記軸受に設けられた前記嵌合孔の前記凹部の向きが符合する回動角度が一つのみであることを特徴とする請求項２または３に記載の空気調和装置の縦ルーバユニット。
【請求項５】
前記縦ルーバと前記連結部とが接触することで前記コネクティングロッドに対する該縦ルーバの回動が規制されるとともに、この縦ルーバの回動が規制された接触位置で前記各軸に設けられた突起と前記各軸受に設けられた前記嵌合孔の凹部の向きとが略一致することを特徴とする請求項２から４のいずれかに記載の空気調和装置の縦ルーバユニット。
【請求項６】
冷媒と室内空気との間で熱交換を行う室内熱交換器を備えた室内機と、冷媒と室外空気との間で熱交換を行う室外熱交換器および冷媒を圧縮し吐出する圧縮機を備えた室外機とを有する空気調和装置において、
前記室内機に、請求項１から５のいずれかに記載の縦ルーバユニットが設けられていることを特徴とする空気調和装置。
【発明の詳細な説明】
【技術分野】
【０００１】
本発明は、室内の空調を行うための空気調和装置に関し、特に吹出口に設けられて左右に風を振る縦ルーバユニットの構造に関する。
【背景技術】
【０００２】
図６には、従来の空気調和装置の室内機１が示されている。室内機１には室内に空調空気を吹き出す吹出口２が設けられており、吹出口２には、吹き出す風を左右方向に振る縦ルーバユニット３が設けられている。一般的な縦ルーバユニット３は、室内機１の左右それぞれに独立して設けられ、モータまたは手動で向きを変えることで、空調空気の吹き出し方向を変えることができるようになっている。
図７には、縦ルーバユニット３の拡大図が示されている。縦ルーバユニット３は、複数枚の縦ルーバ５と、これら縦ルーバ５を相互に連結するコネクティングロッド６と、各縦ルーバ５を回動自在に室内機本体に支持する軸支部７とを備える。
【０００３】
縦ルーバ５は、空調空気を導くルーバ本体５ａと、ルーバ本体５ａから上方に延び、上端に軸支部７が位置する延長部５ｂとを備えている。また、ルーバ本体５ａの上端には、軸支部７より低く位置して作動ピン５ｃが上方に突出して設けられている。
コネクティングロッド６は直線上に延在し、その長手方向に沿って長く形成され、作動ピン５ｃが挿入状態とされる長孔６ａが各縦ルーバ５に対応して設けられている。なお、作動ピン５ｃの上端には、コネクティングロッド６が作動ピン５ｃから脱落することを防止するための拡径部５ｄが設けられている。
【０００４】
軸支部７は、図８に示すように、室内機１に固定された凸部１０と、縦ルーバ５側に固定されたベンディング部１１とを備えている。ベンディング部１１は切り欠き１１ａを備えた上面視Ｃ字状であり、樹脂により形成されていることで切り欠き１１ａを弾性的に広げることができるようになっている。縦ルーバユニット３の取付け時には、切り欠き１１ａを広げることにより凸部１０とベンディング部１１とを嵌合わせる。また凸部１０の下端には、ベンディング部１１が落下しないように落下防止ストッパ１０ａが設けられている。このように軸支部７が構成されていることで、縦ルーバ５は凸部１０を軸として回動自在に支持される。
【特許文献１】特開平８−３１３０４３号公報
【発明の開示】
【発明が解決しようとする課題】
【０００５】
このように構成された従来の空気調和装置の縦ルーバでは、コネクティングロッド６を動かすことにより図９（ａ）のように凸部１０を回動中心として各縦ルーバ５を連動して回動させる。しかしながら、縦ルーバ５の回動角度を大きくしようとすると、図９（ｂ）のようにコネクティングロッド６が縦ルーバ５自身（延長部５ｂ或いは支持部７）と接触してしまうことから、回動範囲が制限され、１８０度までの回動範囲をとることができないという問題があった。
【０００６】
本発明は上記事情に鑑みてなされたものであり、縦ルーバの回動範囲を拡大することができる縦ルーバユニットおよび該縦ルーバユニットを備えた空気調和装置を提供することを目的とする。
【課題を解決するための手段】
【０００７】
本発明においては上記の課題を解決するために以下の手段を採用した。
請求項１に記載の発明は、室内機本体に回動自在に支持された複数の縦ルーバと、これら縦ルーバを連結することで各縦ルーバを連動させるコネクティングロッドとを備えた空気調和装置の縦ルーバユニットにおいて、前記コネクティングロッドは、連結部と、該連結部に対して略直交に延在し、互いに間隔を隔てて設けられた複数の腕部とを備え、各前記縦ルーバは、各前記腕部のそれぞれに回動可能に取付けられていることを特徴とする。
【０００８】
連結部から延びる腕部に縦ルーバを取り付けることとしたので、隣り合う腕部間に縦ルーバが回動する隙間が確保されることになる。これにより、縦ルーバの回動範囲を広くすることができる。
【０００９】
請求項２に記載の発明は、請求項１に記載の空気調和装置の縦ルーバユニットにおいて、前記縦ルーバと室内機本体のいずれか一方側に設けられ、突起を有する軸と、前記縦ルーバと室内機本体のいずれか他方側に設けられ、前記軸が挿入されるとともに、前記突起に対応した凹部を有する嵌合孔が形成された軸受と、を備えてなり、前記軸および前記軸受は、前記突起が前記凹部を貫通した状態で、互いに前記軸の軸線周りに回動可能とされるとともに、前記前記突起と前記軸受とが係合していることを特徴とする。
【００１０】
例えば、室内機本体側に突起を有する軸が下方に向けて設けられ、縦ルーバに嵌合孔が形成された軸受が設けられている場合、軸と軸受とを次のように取付ける。
突起と凹部との位置を対応する角度に合わせ、縦ルーバの軸受の嵌合孔に軸を挿入する。突起が凹部を通過するように挿入し、縦ルーバを軸に対して回転させる。すると、突起の上方には凹部が位置しないので、突起と軸受とが係合することになり、縦ルーバが軸受に吊り下がった状態となる。
突起と凹部とが一致する位置を、空調装置運転時の縦ルーバ回動範囲を超えたところに設定すれば、運転時に縦ルーバが脱落することはない。
取り外すときは、縦ルーバの回動角度を手動により調整して突起と凹部の位置を一致させ、縦ルーバを引き抜く。
【００１１】
請求項３に記載の発明は、請求項２に記載の空気調和装置の縦ルーバユニットにおいて、前記軸が前記軸受に対して挿入された状態における前記突起と前記軸受の互いに対向する壁面には、前記突起側にストッパが設けられ、前記軸受側に前記ストッパが収容されて案内される案内部が設けられ、該案内部の形成範囲によって前記ストッパの回動範囲が規制されることを特徴とする。
【００１２】
想定外の外力が作用して縦ルーバが所定の回動角よりも大きく動こうとしても、案内部の形成範囲によってストッパの移動が規制され、所定範囲を超える回動が阻止される。
【００１３】
請求項４に記載の発明は、請求項２または３に記載の空気調和装置の縦ルーバユニットにおいて、前記軸に設けられた前記突起と前記軸受に設けられた前記嵌合孔の凹部の向きが符合する回動角度が一つのみであることを特徴とする。
【００１４】
本発明によれば、突起と凹部との角度が符合する回動角が３６０度のうちの一個所のみであるから、空調装置運転時の縦ルーバ回動範囲を広く設定することができる。
【００１５】
請求項５に記載の発明は、請求項２から４のいずれかに記載の空気調和装置の縦ルーバユニットにおいて、前記縦ルーバと前記連結部とが接触することで前記コネクティングロッドに対する該縦ルーバの回動が規制されるとともに、この縦ルーバの回動が規制された接触位置で前記各軸に設けられた突起と前記各軸受に設けられた前記嵌合孔の凹部の向きとが略一致することを特徴とする。
【００１６】
上記のように縦ルーバを取付け・取り外す際、突起と凹部の位置を一致させる必要がある。取り外す際には、各縦ルーバはコネクティングロッドにより連動しているから縦ルーバの角度を一つずつ一致させる必要はないが、取付ける際には複数ある縦ルーバのそれぞれの角度を一つずつ合わせなければならない。本発明では、縦ルーバをコネクティングロッドの連結部に最も寄せた接触位置に回動させると、この接触位置で各軸に設けられた突起と各軸受に設けられた凹部の位置が略一致するので、取り付けの際の各縦ルーバの角度調整が容易となる。
【００１７】
請求項６に記載の発明は、冷媒と室内空気との間で熱交換を行う室内熱交換器を備えた室内機と、冷媒と室外空気との間で熱交換を行う室外熱交換器および冷媒を圧縮し吐出する圧縮機を備えた室外機とを有する空気調和装置において、前記室内機に請求項１から５のいずれかに記載の縦ルーバユニットが設けられていることを特徴とする。
【発明の効果】
【００１８】
請求項１に記載の発明によれば、コネクティングロッドは連結部から延びる腕部に回動可能に縦ルーバが取付けられ、腕部と腕部との間に縦ルーバが回動する隙間が確保されることで、縦ルーバの回動範囲を拡大することができる。
請求項２に記載の発明によれば、縦ルーバを室内機本体に容易に取付け・取り外すことができ、構成部材を変形させること無く、容易に組み立てを行うことができる。
請求項３に記載の発明によれば、ストッパが案内部に案内されることにより、所定範囲を超える回動を阻止することができる。
請求項４に記載の発明によれば、突起と凹部との角度が合う回動角が一つのみであるから、空調装置運転時の縦ルーバ回動範囲を広く取ることができる。
請求項５に記載の発明によれば、各縦ルーバの取付けを容易に行うことができる。
請求項６に記載の発明によれば、空気調和装置の室内器に設けられた縦ルーバの回動範囲を拡大することができる。
【発明を実施するための最良の形態】
【００１９】
次に本発明の一実施形態について図面を参照して説明する。
図１は本実施形態の縦ルーバユニット２０である。本実施形態の縦ルーバユニット２０は、各縦ルーバ２１が櫛状のコネクティングロッド２２により連結された状態となっている。このような縦ルーバユニット２０は、冷媒と室内空気との間で熱交換を行う室内熱交換器を備えた室内機と、冷媒と室外空気との間で熱交換を行う室外熱交換器および冷媒を圧縮し吐出する圧縮機を備えた室外機とを有する空気調和装置において、前記室内機に設置されるものである。
【００２０】
縦ルーバユニット２０の構造について詳細に説明すると、縦ルーバユニット２０は、複数枚の縦ルーバ２１と、これら縦ルーバ２１を相互に連結するコネクティングロッド２２と、各縦ルーバ２１を回動自在に支持する軸支部２３とを備える。
縦ルーバ２１は、空調空気を導くルーバ本体２１ａと、ルーバ本体２１ａから上方に延び、上端に軸支部２３が位置する延長部２１ｂとを備えている。また、ルーバ本体２１ａの上端には、軸支部２３よりも低く位置した状態で、作動ピン２１ｃが上方に突出して設けられている。
コネクティングロッド２２は、各縦ルーバ２１の作動ピン２１ｃが回動可能に取付けられる腕部２２ａと、直線上に延在して各腕部２２ａの基端部が連結される連結部２２ｂとを有している。腕部２２ａの先端には作動ピン２１ｃが回動自在に挿入される孔２２ｃが形成されている。作動ピン２１ｃの上端には、作動ピン２１ｃが孔２２ｃから脱落することを防止するための拡径部２１ｄが設けられている。
【００２１】
軸支部２３は、室内機に固定された軸３０と、縦ルーバ２１の延長部２１ｂに固定された軸受３１とを備えている。軸受３１は、上下方向に貫通する嵌合孔３２を備えている。軸３０は、円柱状の軸本体３０ａと、軸本体３０ａの円筒面から両側方（半径方向）に延びる突起３３，３４とを備えている。
嵌合孔３２は、軸本体３０ａに対応する断面円形の中央孔部３５と、中央孔部３５から両側方（半径方向）に延び、突起３３，３４に対応する二つの凹部３６，３７の組み合わせとなっている。
軸本体３０ａは、中央孔部３５に挿入され、突起３３，３４はそれぞれ凹部３６，３７を貫通することができる寸法となっている。しかし、一方の突起３３，凹部３６はそれぞれ他方の突起３４，凹部３７よりも幅が太く、かつ短く構成されている。このように、一方の突起３３，凹部３６を他方の突起３４，凹部３７と異なる形状にして非対称にしているので、一方の突起３３，３４は他方の凹部３７，３６を通過することができないようになっている。
【００２２】
このように構成された軸受３１を、凹部３６を突起３３に，凹部３７を突起３４に合わせて差し込むことにより軸３０に挿入する。そして軸受３１（すなわち縦ルーバ２１）を軸３０周りに回転させ、軸受３１の下面３８を突起３３，３４の上面に支持させる。これにより縦ルーバ２１が軸３０に吊り下げられ、軸３０に対して回転自在に支持された状態となる。
【００２３】
空気調和装置の運転時には、縦ルーバユニット２０は以下のようにして動作する。コネクティングロッド２２が不図示のモータまたは手動により駆動される。その際にコネクティングロッド２２の腕部２２ａに設けられた孔２２ｃに作動ピン２１ｃが挿入されていることにより、腕部２２ａが作動ピン２１ｃを通じて縦ルーバ２１を回動させる。運転時の可動範囲を図２(a)(b)に示した。図の１８０度の範囲、すなわち、凹部３６、３７の角度位置が突起３３、３４の角度位置と一致しない範囲で運転時の回動が行われる。この範囲であれば回動時に軸受３１が軸３０から脱落しない。
【００２４】
このように構成されている本実施形態の縦ルーバユニット２０においては、櫛状のコネクティングロッド２２により、図３に示したようにコネクティングロッド２２が縦ルーバ２１に接触することなく１８０度の範囲で回動可能である。図３(a)は一方向に全閉した状態、(c)は他方向に全閉した状態である。したがって従来よりも広い範囲に空調空気を送ることができる。
また、全閉させることができるから、例えば室内機の左側に設けられている縦ルーバユニットを全閉し、右側の縦ルーバユニットのみから空調空気を吹き出すことで、特定の領域に集中して空調空気を吹き出すことができる。
【００２５】
従来のベンディング部１１を凸部１０に嵌め込む方式では（図８参照）、ベンディング部１１に過度の変形力が作用し、樹脂製のベンディング部１１が白化、破損等してしまうという問題があった。
本実施形態では、取付けるときは、図２(c)のように突起３３，３４をそれぞれ凹部３６，３７に合わせ、軸３０を軸受３１に挿入し、突起３３，３４が嵌合孔３２を貫通した状態で軸受３１を軸３０に対して回転させて軸受３１を軸３０の突起３３、３４上で支持させる。したがって、構成部材に無理な変形をさせること無く、容易に組み立てを行うことができる。
【００２６】
また、取付けの際には上記のように各縦ルーバ２１について、突起３３，３４の角度と凹部３６，３７の角度とをそれぞれ合わせてから取付けるが、本例では図２(c)のように縦ルーバ２１を矢印の方向に最大に回動させた状態、すなわち縦ルーバ２１をコネクティングロッド２２の連結部２２ｂに接触させると、この状態で各軸３０に設けられた突起３３，３４と各軸受３１に設けられた凹部３６，３７の角度が一致するようになっている。したがって、全ての縦ルーバ２１を取付け角度に位置決めすることが容易である。
【００２７】
さらに、各縦ルーバ２１はコネクティングロッド２２により連動していて各縦ルーバ２１の向きが統一されているから、全縦ルーバ２１を一度に取り外すことができる。取り外しの際には縦ルーバ２１を図２(c)の位置に手動で回転させ、突起３３，３４をそれぞれ凹部３６，３７に合わせることで縦ルーバユニット２０を取り外す。このとき一つの縦ルーバ２１の向きを合わせればコネクティングロッド２２によって他の縦ルーバ２１も同じ角度となるから、一つ一つの縦ルーバ２１の角度を手動で揃える必要はない。
このようにユーザでも容易に縦ルーバユニット２１の取付け・取り外しを行うことができるから、縦ルーバユニット２１を取り外してユーザが室内機の掃除を行うことが可能となる。
【００２８】
なお、上記の例で示した軸支部２３を以下のように構成してもよい。
図４に示すように、軸受４１の下面４１ａには、周方向に沿った二つの案内部４２が設けられている。なお、案内部４２としては溝であってもよいし、貫通状態の孔であってもよい。一方の軸４５には、突起４６のそれぞれの上面に立設されたストッパ４７が設けられ、突起４６の上面で軸受４１の下面４１ａが支持された状態で、ストッパ４７が案内部４２内に収容される。この状態では縦ルーバ（すなわち軸受４１）の回動は、ストッパ４７が案内部４２の中で移動可能な範囲に規制される。すなわち外力が作用して縦ルーバが所定の可動範囲よりも大きく動こうとしても、ストッパ４７が案内部４２の端部内壁に衝突し、所定範囲を超える回動が阻止される。縦ルーバ２１を取り外す場合には、縦ルーバ２１を持ち上げて可動範囲を超えさせた後に回動させ、突起４６を軸受４１の嵌合孔４８に通せばよい。
このように構成されていることで、清掃時以外の想定外の外力によって縦ルーバユニット２０が誤って脱落してしまうことが防止される。
なお上記の例では両方の突起４６にそれぞれストッパ４７を設けたが、一方にのみ設けても上記の回動規制効果を得ることができる。
【００２９】
また上記の軸受３１に限らず、図５(b)の軸受５０のように、左右対称な嵌合孔５１としてもよい。嵌合孔５１は１８０度間隔に凹部５２、５２を備える。図示は省略するが軸の形状も凹部５２に対応させた形状とする。この変形例では可動範囲が１８０度未満の場合に適用可能である。
また図５(c)の軸受５５のように、凹部５６が１８０度間隔ではない嵌合孔５７を備えるようにしてもよい。軸の形状も凹部５６に対応させた形状とする。この変形例では軸が嵌合孔５７に嵌合する回動角度は一つだけであるから、上記の実施形態のように１８０度の回動範囲とされた縦ルーバの回動を行うことができる。
なお、図５(a)には、参考のために本実施形態において示した軸受３１が示されている。
【００３０】
なお、本実施形態および上記各変形例では、縦ルーバ側に嵌合孔を有する軸受を設け、室内機本体側に突起を有する軸を固定しているが、逆の関係でもよい。すなわち、室内機側に嵌合孔を有する軸受を固定し、縦ルーバに突起を備える軸を設け、軸受の上面に突起を支持させた状態で軸（すなわち縦ルーバ）を回動させるようにしてもよい。
【図面の簡単な説明】
【００３１】
【図１】本発明の一実施形態として示した縦ルーバユニットの斜視図である。
【図２】同縦ルーバユニットにおける縦ルーバの回動範囲について示した平面図である。
【図３】同縦ルーバユニットの運転時の回動範囲について示した斜視図である。
【図４】変形例として、ストッパと案内部とを備えた縦ルーバの軸支部を示した図である。
【図５】軸受の種々の例について示した平面図である。
【図６】従来の空気調和装置の室内機の一部を破断して示した斜視図である。
【図７】同室内機に設けられた縦ルーバユニットについて示した斜視図である。
【図８】同縦ルーバユニットが備える軸支部の斜視図である。
【図９】同縦ルーバユニットの回動範囲について示した平面図である。
【符号の説明】
【００３２】
２０  縦ルーバユニット
２１  縦ルーバ
２２  コネクティングロッド
２２ａ  腕部
２２ｂ  連結部
２３  軸支部
３０  軸
３１  軸受
３２  嵌合孔
３３，３４  突起
３６，３７  凹部
４２  案内部
４７  ストッパ
４８  嵌合孔
５０  軸受
５１  嵌合孔
５２  凹部
５５  軸受
５７  嵌合孔
５６  凹部
【図１】
2005326104.tif 000003
【図２】
2005326104.tif 000004
【図３】
2005326104.tif 000005
【図４】
2005326104.tif 000006
【図５】
2005326104.tif 000007
【図６】
2005326104.tif 000008
【図７】
2005326104.tif 000009
【図８】
2005326104.tif 000010
【図９】
2005326104.tif 000011